(57)【特許請求の範囲】
【請求項１】
硬貨投入口から投入される硬貨を取り扱う硬貨取扱装置を有する電子機器であって、
前記硬貨投入口からの異物の侵入を防ぐための板状の保護カバーを有し、
前記保護カバーは、所定の複数枚の硬貨が同時に通過することを許容する大きさの切り欠き部を有し、
前記保護カバー上に落ちる液体が前記硬貨投入口へ流れ込むことを防ぐように、前記保護カバーの前記切り欠き部に隣接する切り欠き部周辺部または前記保護カバーの表面が、前記保護カバー上に落ちる液体の排水を可能にする形状に形成してあり、
前記保護カバー上に落ちる液体の排水を可能にする前記形状として、
前記切り欠き部周辺部において前記切り欠き部の反対側に位置する該切り欠き部周辺部の端辺に沿って液体を前記保護カバーの外側に排水するための排水溝が形成されている、
ことを特徴とする電子機器。
【請求項２】
前記排水溝の側面が、該排水溝の底面に向かって開口部が徐々に狭くなる方向に傾斜する形状か、または、前記排水溝の底面が、該排水溝の長手方向の一方の端部から他方の端部に向かって傾斜した傾斜面を形成するように、該底面を形成する部位の厚みが前記他方の端部に向かって徐々に肉薄になる形状か、のうちのいずれか少なくとも一方の形状が前記排水溝について採用されており、
かつ、
前記切り欠き部周辺部の表面が、前記排水溝に向かって傾斜した傾斜面を有するように、該切り欠き部周辺部の厚みが前記排水溝に向かって徐々に肉薄になる形状に形成されている
ことを特徴とする請求項１に記載の電子機器。
【請求項３】
前記保護カバー上に落ちる液体の排水を可能にする前記形状として、
前記切り欠き部周辺部が、前記保護カバーの他の部位よりも肉厚の形状になる保護壁として形成され、
かつ、
前記保護壁の表面が、前記切り欠き部の反対方向に向かって傾斜した傾斜面を有するように、該保護壁の厚みが前記切り欠き部の反対方向に向かって徐々に肉薄になる形状に形成されている、
ことを特徴とする請求項１に記載の電子機器。
【請求項４】
前記保護カバー上に落ちる液体の排水を可能にする前記形状として、
前記切り欠き部周辺部が、前記保護カバーの他の部位よりも肉厚の形状になる保護壁として形成され、
かつ、
前記切り欠き部周辺部以外の表面は、前記切り欠き部の反対側の方向に向かって傾斜した傾斜面を有するように、該切り欠き部周辺部以外の部位の厚みが前記切り欠き部の反対方向に向かって徐々に肉薄になる形状に形成され、
かつ、
前記保護壁の表面が、前記切り欠き部の反対方向に向かって傾斜した傾斜面を有するように、該保護壁の厚みが前記切り欠き部の反対方向に向かって徐々に肉薄になる形状に形成されている、
ことを特徴とする請求項１に記載の電子機器。
【請求項５】
前記保護カバー上に落ちる液体の排水を可能にする前記形状として、
前記保護カバーの表面は、前記切り欠き部の反対側の方向に向かって傾斜した傾斜面を有するように、該保護カバーの部位の厚みが前記切り欠き部の反対方向に向かって徐々に肉薄になる形状に形成されている、
ことを特徴とする請求項１に記載の電子機器。
【請求項６】
前記保護カバーの形状は、取り付け対象とする前記硬貨投入口の表面の形状に合わせた形状とする、
ことを特徴とする請求項１ないし５のいずれかに記載の電子機器。
【請求項７】
前記保護カバーと前記硬貨投入口との固定には、
前記保護カバーと前記硬貨投入口の表面とが互いに密着するように接着剤による接合がされている、
ことを特徴とする請求項１ないし６のいずれかに記載の電子機器。
【請求項８】
商品を購入する顧客自身が該商品の精算を現金により行うセルフＰＯＳ（Point  of  Sales）端末またはセルフ精算装置である、
ことを特徴とする請求項１ないし７のいずれかに記載の電子機器。
【発明の詳細な説明】
【技術分野】
【０００１】
本発明は、硬貨取扱装置を有する電子機器に関する。
【背景技術】
【０００２】
近年、店舗における代金の精算作業に関してセルフレジ化が普及しつつあり、店舗の店員のみならず、顧客も自分自身で代金の精算を行うようになってきている。セルフレジを行うセルフＰＯＳ（Point  of  Sales）端末装置やセルフ精算装置（レジスタ装置）等の電子機器には、紙幣を取り扱う紙幣取扱装置だけではなく、硬貨を取り扱う硬貨取扱装置が配置される。そして、該硬貨取扱装置を有する電子機器には、複数枚の硬貨を同時に投入することが可能になるように、間口が広い硬貨投入口が設けられる。
【０００３】
硬貨投入口には、硬貨以外の異物が誤って投入される恐れがある。教育された店舗の店員ではない顧客が自らの購入商品の代金の精算を行う場合は、硬貨以外の異物を誤って投入してしまう事態が増加することが懸念される。
【０００４】
かかる異物侵入対策のために、例えば、特許文献１の特開２０１３−０８８８５３号公報「硬貨取扱装置」は、異物として例えばクリップ等の小型の固形物を想定して、硬貨投入口の入り口に硬貨を載置する蓋部材を設け、該蓋部材に硬貨以外の異物を排除し硬貨のみを硬貨投入口に移動させる形状の複数の突起部を形成するという技術を提案している。
【先行技術文献】
【特許文献】
【０００５】
【特許文献１】特開２０１３−０８８８５３号公報
【発明の概要】
【発明が解決しようとする課題】
【０００６】
しかしながら、本発明に関連する前記特許文献１等に記載のような現状の技術においては、複数枚の硬貨を同時に投入することができない。
【０００７】
（本発明の目的）
本発明の目的は、複数枚の硬貨を同時に投入する硬貨投入口に、水等の液体を含む異物が侵入する恐れを低減することが可能な電子機器を提供することにある。
【課題を解決するための手段】
【０００８】
前述の課題を解決するため、本発明による電子機器は、主に、次のような特徴的な構成を採用している。
【０００９】
本発明による電子機器は、
硬貨投入口から投入される硬貨を取り扱う硬貨取扱装置を有する電子機器であって、
前記硬貨投入口からの異物の侵入を防ぐための板状の保護カバーを有し、
前記保護カバーは、所定の複数枚の硬貨が同時に通過することを許容する大きさの切り欠き部を有し、
前記保護カバーの前記切り欠き部に隣接する切り欠き部周辺部または前記保護カバーの表面が、前記保護カバー上に落ちる液体の排水を可能にする形状に形成してある
ことを特徴とする。
【発明の効果】
【００１０】
本発明によれば、複数枚の硬貨を同時に投入する硬貨投入口に、水等の液体を含む異物が侵入する恐れを低減することが可能な電子機器を提供することができる。
【図面の簡単な説明】
【００１１】
【図１】本発明に係る硬貨取扱装置を有する電子機器の一例を示す斜視図である。
【図２】図１に示した電子機器の硬貨投入口に取り付けられる保護カバーの形状の一例を示す斜視図である。
【図３】図２に示した保護カバーの形状の一例を示す模式図である。
【図４】図２に示した保護カバーを図３とは異なる形状の保護カバーとする第１の変形例を示す模式図である。
【図５】図２に示した保護カバーを図３、図４とは異なる形状の保護カバーとする第２の変形例を示す模式図である。
【図６】図２に示した保護カバーを図３、図４、図５とは異なる形状の保護カバーとする第３の変形例を示す模式図である。
【図７】図２に示した保護カバーを図３ないし図６のいずれとも異なる形状の保護カバーとする第４の変形例を示す模式図である。
【図８】第１の実施形態として図１に示した電子機器の硬貨投入口の形状とは異なる硬貨投入口を有する電子機器に取り付けられる保護カバーの形状の一例を第２の実施形態として示す斜視図である。
【発明を実施するための形態】
【００１２】
以下、本発明による硬貨取扱装置を有する電子機器の好適な実施形態について添付図を参照して説明する。なお、以下の説明においては、硬貨取扱装置を有する電子機器について説明するが、電子機器を購入商品に関する現金による精算処理を顧客自身が行うセルフＰＯＳ端末やセルフ精算装置とすることも可能であることは言うまでもない。また、以下の各図面に付した図面参照符号は、理解を助けるための一例として各要素に便宜上付記したものであり、本発明を図示の態様に限定することを意図するものではないことも言うまでもない。
【００１３】
（本発明の特徴）
本発明の実施形態の説明に先立って、本発明の特徴についてその概要をまず説明する。本発明は、硬貨を投入する硬貨投入口を有する電子機器であって、前記硬貨投入口表面に、所定の複数枚の硬貨が同時に通過することを許容する大きさの切り欠き部を有する板状の保護カバーを取り付け、かつ、前記保護カバーは、該保護カバー上に落ちる液体を前記切り欠き部の周辺に排水を行うための形状からなる排水溝または傾斜面を有することを主要な特徴としている。而して、硬貨投入口に硬貨以外の異物が侵入する恐れを低減し、かつ、水や水滴等の液体が保護カバー上にかかった場合であっても、硬貨投入口へ液体が侵入する恐れを低減することができる。
【００１４】
さらに、保護カバーの形状を、硬貨投入口の形状に合わせた形状にすることにより、種々の硬貨投入口にも対応することが可能であることも主要な特徴の一つとしている。
【００１５】
（本発明の第１の実施形態の構成例）
次に、本発明に係る電子機器の第１の実施形態における構成例について、図面を参照しながら詳細に説明する。
【００１６】
図１は、本発明に係る硬貨取扱装置を有する電子機器の一例を示す斜視図である。ここでは、該電子機器として、顧客自身が購入する商品の商品登録を行って、購入代金の精算を行うセルフＰＯＳ端末装置の一例を示している。
【００１７】
図１に示すように、セルフＰＯＳ端末装置すなわち電子機器１００は、購入代金の現金による精算用として紙幣を取り扱う紙幣取扱装置用の紙幣投入口１０、硬貨を取り扱う硬貨取扱装置用の硬貨投入口２０等を有するとともに、商品登録用として商品のバーコードを読み取るバーコードスキャナ３１、購入商品の精算情報を表示するディスプレイ３２等を有し、かつ、現金不足等の通知用としてパトランプ４１等を有している。
【００１８】
ここで、図１には示していないが、硬貨投入口２０には、水等の液体を含む異物が侵入する恐れを低減するために、本発明に特有の保護カバーとして、図２に示す保護カバー１が取り付けられている。図２は、図１に示した電子機器１００の硬貨投入口２０に取り付けられる保護カバー１の形状の一例を示す斜視図である。図２（Ａ）は、保護カバー１を硬貨投入口２０に取り付けようとしている状態を示し、図２（Ｂ）は、保護カバー１を硬貨投入口２０に取り付けた後の状態を示している。
【００１９】
図２に示すように、電子機器１００は、商品購入用の硬貨を載置する硬貨載置部２０Ｃに、硬貨を投入するための略矩形状の開口部を形成する硬貨投入口２０と硬貨を展開するためのＵ字形状の凹部からなる硬貨展開部２２とを有している。ここで、硬貨投入口２０は、表面から最下端部に向かって開口部が徐々に狭くなっていく傾斜面を形成しており、最下端部は、電子機器１００に搭載されている硬貨取扱装置の硬貨投入口に連通している。
【００２０】
また、図２に示すように、保護カバー１は略矩形の板状の形状をなしている。該保護カバー１の一辺（図２の手前側方向の辺）には、所定の複数枚の硬貨が同時に通過することを許容する大きさの切り欠き部２が設けてある。所定の複数枚の硬貨とは、例えば、サイズが最大である硬貨（５００円玉）２枚である。そして、保護カバー１は、硬貨投入口２０に取り付けられたとき、図２（Ｂ）に示すように、切り欠き部２を除く領域において、硬貨投入口２０の表面部全体を覆う。そこで、保護カバー１が硬貨投入口２０の表面に取り付けられると、切り欠き部２を通してのみ硬貨を硬貨投入口２０に投入することが可能な状態になる。ここで、保護カバー１は、硬貨投入口２０の表面と互いに密着するように接着剤等を用いて接合されており、切り欠き部２以外の周辺からは、水や水滴等の液体を含め硬貨以外の如何なる異物も、硬貨投入口２０に侵入することが完全に防げる状態になっている。
【００２１】
また、顧客が購入商品のセルフ精算を行う場合には、顧客は精算用の硬貨を硬貨展開部２２に展開し、その中から適当な硬貨を選択して、硬貨展開部２２から取り出して、保護カバー１の切り欠き部２を通して硬貨投入口２０に投入する操作を行うので、硬貨投入口２０に硬貨以外の異物が侵入する恐れを低減することができる。
【００２２】
次に、図２に示した保護カバー１の形状についてさらに具体的に説明する。図３は、図２に示した保護カバー１の形状の一例を示す模式図であり、図３（Ａ）が保護カバー１の斜視図を示し、図３（Ｂ）が図３（Ａ）のIIIＢ−IIIＢ方向から矢視した保護カバー１の断面形状を示している。
【００２３】
図３に示すように、保護カバー１の表面には、排水溝３が、切り欠き部周辺部４の端辺に沿うように、形成されている。切り欠き部周辺部４は、切り欠き部２に隣接する一定幅の領域である。したがって、排水溝３は、切り欠き部２に隣接する切り欠き部周辺部４において切り欠き部２と対向する反対側の端辺の位置に、切り欠き部２が形成されている保護カバー１の辺と平行するように、すなわち、該切り欠き部周辺部４の端辺に沿うように、形成されている、と言える。排水溝３は、硬貨を投入する際に保護カバー１上に落ちる可能性がある水等の液体を保護カバー１の外側に排水することを可能にする形状として切り欠き部周辺部４の端辺に沿うように形成した溝であり、図３（Ｂ）の断面図に示すように、底面に向かって徐々に幅が狭くなるように傾斜した側面を有していて、液体が底面に集まり易くなる形状をなしている。
【００２４】
つまり、図２に示したように、電子機器１００では、硬貨を投入するための硬貨投入口２０に対して硬貨以外の異物の侵入の恐れを低減する板状の保護カバー１を取り付け、かつ、保護カバー１は、所定の複数枚の硬貨が同時に通過することを許容する大きさの切り欠き部２を有し、かつ、保護カバー１における切り欠き部２に隣接する切り欠き部周辺部４の表面形状を、排水を可能にする形状に形成している。そして、図３に示す例においては、保護カバー１の前記排水を可能にする形状として、切り欠き部周辺部４の切り欠き部２の反対側に位置する端辺に沿って、液体を保護カバー１の外側に排水するための排水溝３を形成し、かつ、排水溝３の側面を、該排水溝３の底面に向かって徐々に開口部が狭くなる方向に傾斜する形状に形成している。
【００２５】
さらに、排水溝３の底面の形状も、液体が該底面に溜まってしまわずに、排水溝３から外部へ排水し易くなるように考慮してある。排水溝３の底面は、排水溝３の長手方向の一方の端部から他方の端部に向かって（例えば、図３の奥側から手前方向に向かって）、傾斜した傾斜面を形成するように、保護カバー１において排水溝３の底面を形成する部位の厚みが他方の端部に向かって徐々に肉薄になる形状を有している。さらに、板状の保護カバー１の切り欠き部周辺部４の表面についても、切り欠き部２の反対の方向すなわち排水溝３の方向に向かって傾斜した傾斜面を有するように、切り欠き部周辺部４の厚みが排水溝３に向かって徐々に肉薄になる形状に形成することが望ましい。
【００２６】
図３のような形状の保護カバー１を電子機器１００の硬貨投入口２０に取り付けることにより、所定の複数枚の硬貨が同時に通過することを許容する大きさの切り欠き部２を除いて、水等の液体をはじめとする硬貨以外の異物が、硬貨投入口２０に侵入することを防止することができる。さらには、切り欠き部２に隣接する切り欠き部周辺部４に水等の液体が落下した場合であっても、落下した液体は、切り欠き部２側ではなく、排水溝３に流れ落ちて排出されることになるので、水等の液体が硬貨投入口２０に流れ込んでしまうことを防ぐことができる。
【００２７】
つまり、図３に示した形状の保護カバー１を取り付けることにより、図１に示したセルフＰＯＳ端末装置等の電子機器１００の硬貨投入口２０に、硬貨以外の異物が侵入する恐れを低減することができる。
【００２８】
（本発明の第１の実施形態の変形例）
次に、本発明に係る電子機器の第１の実施形態における保護カバー１の変形例について、図面を参照しながら詳細に説明する。硬貨以外の異物が硬貨投入口２０へ侵入する恐れを低減する保護カバー１の形状は、保護カバー１の排水を可能にする形状として、図３に示した場合に限るものではなく、他の形状であっても差し支えない。
【００２９】
（第１の変形例）
図４は、図２に示した保護カバー１を図３とは異なる形状の保護カバー１Ａとする第１の変形例を示す模式図であり、図４（Ａ）が保護カバー１Ａの斜視図を示し、図４（Ｂ）が図４（Ａ）のIVＢ−IVＢ方向（図３のIIIＢ−IIIＢ方向と同じ方向）から矢視した保護カバー１Ａの断面形状を示している。
【００３０】
図４に示すように、保護カバー１Ａの表面には、図３の保護カバー１と同様の排水溝３が、切り欠き部２に隣接する切り欠き部周辺部４において切り欠き部２と対向する反対側の端辺の位置に形成されている。図４の保護カバー１Ａは、さらに、切り欠き部周辺部４が、図４（Ｂ）の断面図に示すように、板状の保護カバー１Ａの他の部位よりも肉厚の形状になる保護壁５として形成されている。
【００３１】
ここで、板状の保護カバー１の切り欠き部周辺部４に形成された保護壁５の表面の形状については、液体が保護壁５の表面に落下した場合であっても、硬貨投入口２０側に流れずに、排水溝３に向かって流れ易くするように、切り欠き部２の反対方向に傾斜した傾斜面すなわち排水溝３に向かって傾斜した傾斜面を有するように、保護壁５の厚みが切り欠き部２の反対方向に向かって徐々に肉薄になる形状に形成することが望ましい。
【００３２】
図４のような形状の保護カバー１Ａを電子機器１００の硬貨投入口２０に取り付けることにより、所定の複数枚の硬貨が同時に通過することを許容する大きさの切り欠き部２を除いて、水等の液体をはじめとする硬貨以外の異物が、硬貨投入口２０に侵入することを図３の保護カバー１の場合と同様に防止することができる。さらには、切り欠き部２に隣接する切り欠き部周辺部４に形成した保護壁５の表面を切り欠き部２の反対方向に向かってすなわち排水溝３の方向に向かって傾斜させた形状にすることにより、水等の液体が保護壁５の上に落下した場合であっても、落下した液体は、切り欠き部２側ではなく、排水溝３に流れ落ちて排出されることになるので、液体が硬貨投入口２０に流れ込んでしまうことを防ぐことができる。
【００３３】
（第２の変形例）
図５は、図２に示した保護カバー１を図３、図４とは異なる形状の保護カバー１Ｂとする第２の変形例を示す模式図であり、図５（Ａ）が保護カバー１Ｂの斜視図を示し、図５（Ｂ）が図５（Ａ）のVＢ−VＢ方向（図３のIIIＢ−IIIＢ方向と同じ方向）から矢視した保護カバー１Ｂの断面形状を示している。
【００３４】
図５に示すように、保護カバー１Ｂの表面には、図４の保護カバー１Ｂの場合と同様の保護壁５が切り欠き部周辺部４に形成されているものの、切り欠き部周辺部４の切り欠き部２と対向する反対側の端辺の位置には図３、図４の場合とは異なり、排水溝３は形成されていない。なお、板状の保護カバー１の切り欠き部周辺部４に形成された保護壁５の表面の形状については、図４の場合と同様、切り欠き部２の反対方向に向かって傾斜した傾斜面を有するように、保護壁５の厚みが切り欠き部２の反対方向に向かって徐々に肉薄になる形状に形成することが望ましい。
【００３５】
図５のような形状の保護カバー１Ｂを電子機器１００の硬貨投入口２０に取り付けることにより、所定の複数枚の硬貨が同時に通過することを許容する大きさの切り欠き部２を除いて、水等の液体をはじめとする硬貨以外の異物が、硬貨投入口２０に侵入することを、図４の場合と同様に防止することができる。さらには、切り欠き部２に隣接する切り欠き部周辺部４に形成した保護壁５の表面を切り欠き部２の反対方向に向かって傾斜させた形状にすることにより、水等の液体が保護壁５の上に落下した場合であっても、落下した液体は、図４の場合と同様、切り欠き部２側ではなく、切り欠き部２とは反対方向に流れ落ちて排出されることになるので、液体が硬貨投入口２０に流れ込んでしまうことを防ぐことができる。
【００３６】
（第３の変形例）
図６は、図２に示した保護カバー１を図３、図４、図５とは異なる形状の保護カバー１Ｃとする第３の変形例を示す模式図であり、図６（Ａ）が保護カバー１Ｃの斜視図を示し、図６（Ｂ）が図６（Ａ）のVIＢ−VIＢ方向（図３のIIIＢ−IIIＢ方向と同じ方向）から矢視した保護カバー１Ｃの断面形状を示している。
【００３７】
図６に示すように、保護カバー１Ｃの表面には、図４の保護カバー１Ｂの場合と同様、保護壁５が切り欠き部周辺部４に形成されているものの、切り欠き部周辺部４の切り欠き部２と対向する反対側の端辺の位置には排水溝３が形成されていない。しかし、図６の保護カバー１Ｃの切り欠き部周辺部４以外の表面は、切り欠き部２の反対側の方向に向かって、すなわち、切り欠き部２が形成されている保護カバー１Ｃの辺に対向する反対側の辺に向かって、傾斜した傾斜面を有するように、切り欠き部周辺部４以外の部位の厚みが切り欠き部２の反対方向に向かって徐々に肉薄になる形状に形成する。
【００３８】
例えば、図６（Ｂ）に示すように、切り欠き周辺部４の近傍の保護カバー１Ｃの厚さをｔ１、切り欠き部２が形成されている保護カバー１Ｃの辺に対向する反対側の辺の近傍の厚さをｔ２とすると、
ｔ１＞ｔ２
の関係にあって、保護カバー１Ｃの厚みが、切り欠き部２の反対側の方向に向かって、すなわち、切り欠き部２が形成されている保護カバー１の辺に対向する反対側の辺に向かって徐々に肉薄になる形状に形成している。
【００３９】
なお、板状の保護カバー１の切り欠き部周辺部４に形成された保護壁５の表面の形状については、図４の場合と同様、切り欠き部２の反対方向に向かって傾斜した傾斜面を有するように、保護壁５の厚みが切り欠き部２の反対方向に向かって徐々に肉薄になる形状に形成することが望ましい。
【００４０】
したがって、保護カバー１Ｃの切り欠き部周辺部４以外の表面に水等の液体が落下した場合には、落下した液体は、切り欠き部２側ではなく、切り欠き部２とは反対方向に流れ落ちて排出されることになるので、硬貨投入口２０に流れ落ちてしまうことを防ぐことができる。なお、板状の保護カバー１の切り欠き部周辺部４に形成された保護壁５の表面の形状についても、図４の場合と同様、切り欠き部２とは反対方向に向かって傾斜した傾斜面を有する形状にすることが望ましい。
【００４１】
（第４の変形例）
図７は、図２に示した保護カバー１を図３ないし図６のいずれとも異なる形状の保護カバー１Ｄとする第４の変形例を示す模式図であり、図７（Ａ）が保護カバー１Ｄの斜視図を示し、図７（Ｂ）が図７（Ａ）のVIIＢ−VIIＢ方向（図３のIIIＢ−IIIＢ方向と同じ方向）から矢視した保護カバー１Ｄの断面形状を示している。
【００４２】
図７に示すように、保護カバー１Ｄの表面には、図６の場合と同様、切り欠き部周辺部４の切り欠き部２と対向する反対側の端辺の位置に排水溝３は形成されていなく、さらに、図６の場合とは異なり、保護壁５も切り欠き部周辺部４に形成されていない。
【００４３】
しかし、図７の保護カバー１Ｄの表面は、切り欠き部２を形成した保護カバー１Ｄの切り欠き部の各端辺から外周側に向かって傾斜した傾斜面を有するように、保護カバー１Ｄの厚みが切り欠き部２の反対方向に向かって徐々肉薄になる形状に形成している。
【００４４】
例えば、図７（Ｂ）に示すように、切り欠き部２を形成した保護カバー１Ｄの辺の近傍の厚さをｔ０、切り欠き部２が形成されている保護カバー１Ｄの辺に対向する反対側の辺の近傍の厚さをｔ２とすると、
ｔ０＞ｔ２
の関係にあって、保護カバー１Ｄの厚みが、切り欠き部２の反対方向に向かって徐々に肉薄になっている。
【００４５】
なお、切り欠き部２が形成されている保護カバー１Ｄの辺に隣接する保護カバー１Ｄの辺に向かっても、保護カバー１Ｄの切り欠き部２の各端辺からそれぞれの辺に向かって徐々に肉薄になっていくように、保護カバー１Ｄの表面を、保護カバー１Ｄの各切り欠き部端辺を頂点にした丸みを帯びた傾斜形状にするように、保護カバー１Ｄの厚みを、各切り欠き部端辺の反対方向に向かって徐々に肉薄になるように形成することがさらに望ましい。
【００４６】
図７のような形状にすることにより、保護カバー１Ｄの表面に水等の液体が落下した場合には、落下した液体は、切り欠き部２側ではなく、切り欠き部２とは反対方向に流れ落ちて排出されることになるので、硬貨投入口２０に流れ込んでしまうことを防ぐことができる。
【００４７】
（本発明の第２の実施形態の構成例）
次に、本発明に係る電子機器１００の第２の実施形態における形状について、図８を参照しながら詳細に説明する。
【００４８】
図８は、第１の実施形態として図１に示した電子機器１００の硬貨投入口２０の形状とは異なる硬貨投入口を有する電子機器に取り付けられる保護カバーの形状の一例を第２の実施形態として示す斜視図である。第１の実施形態として前述した図１、図２の場合には、略矩形形状の硬貨投入口２０を有する電子機器１００の場合を示したが、本第２の実施形態として図８に示す電子機器１００Ａにおいては、略円形形状の硬貨投入口２０Ａを有している場合を示している。そして、図８において該硬貨投入口２０Ａへの硬貨以外の水等の異物の侵入の恐れを低減するための保護カバー１Ｅについても、硬貨投入口２０Ａの形状に合わせて、略円形の形状に形成している。
【００４９】
なお、図８（Ａ）は、略円形形状の保護カバー１Ｅを、ほぼ円形形状の硬貨投入口２０Ａを有する電子機器１００Ａに取り付けようとしている状態を示し、図８（Ｂ）は、保護カバー１Ｅを電子機器１００Ａに取り付けた後の状態を示している。また、図８（Ｃ）は、略円形形状の保護カバー１Ｅの斜視図を示している。
【００５０】
図８（Ａ）に示すように、略円形形状の硬貨投入口２０Ａは、第１の実施形態における図２の硬貨投入口２０の場合と同様、表面から最下端部に向かって開口部が徐々に狭くなっていく傾斜面を形成しており、最下端部は、電子機器１００Ａに搭載されている硬貨取扱装置（図８には図示していない）の硬貨投入口に連通している。
【００５１】
また、図８に示すように、保護カバー１Ｅは、該保護カバー１Ｅの中央部付近に所定の複数枚の硬貨が同時に通過することを許容する大きさの切り欠き部２Ａ（言い換えると貫通孔）を有する板状の形状としている。そして、保護カバー１Ｅは、第１の実施形態として図２（Ｂ）に示した場合と同様、図８（Ｂ）に示すように、切り欠き部２Ａ（貫通孔）を除いて、硬貨投入口２０Ａの表面部全体を覆うように、硬貨投入口２０Ａの表面に取り付けられて、切り欠き部２Ａを通してのみ硬貨を硬貨投入口２０Ａに投入することが可能な状態になる。ここで、保護カバー１Ｅは、図２（Ｂ）の場合と同様、接着剤等を用いて硬貨投入口２０Ａの表面に接合されており、切り欠き部２Ａ以外の周辺からは、水や水滴等の液体を含め、硬貨以外の異物が、硬貨投入口２０Ａに侵入することを完全に防ぐ状態になっている。
【００５２】
図８（Ｃ）に示すように、保護カバー１Ｅの表面には、切り欠き部２Ａ（貫通孔）に隣接する切り欠き部周辺部において切り欠き部２Ａを囲むように、Ｕ字形状に穿設された排水溝３Ａが形成され、該排水溝３Ａの両端部は、保護カバー１Ｅの外周部に達している。
【００５３】
排水溝３Ａは、硬貨を投入する際に混入する可能性がある水等の液体を保護カバー１Ｅの外側に排水するための溝であり、第１の実施形態の図３の場合と同様、底面に向かって徐々に幅が狭まるように傾斜した側面を有していて、液体が底面に集まり易くなる形状にしている。
【００５４】
さらに、排水溝３Ａの底面の形状に関しても、第１の実施形態の図３の場合と同様、液体が該底面に溜まってしまわずに、排水溝３Ａから外部へ排水し易くなるように、排水溝３Ａの底面は、排水溝３Ａの長さ方向の中央付近（切り欠き部周辺部の略中央の位置）から両端部に向かって傾斜した形状を有している。さらに、板状の保護カバー１Ｅの切り欠き部周辺部の表面についても、切り欠き部２Ａの反対方向に向かってすなわち排水溝３Ａの方向に向かって傾斜した傾斜面を有するように、切り欠き部周辺部の厚みが切り欠き部２Ａの反対方向に向かってすなわち排水溝３Ａの方向に向かって徐々に肉薄になる形状に形成することが望ましい。
【００５５】
図８のような略円形形状の保護カバー１Ｅを電子機器１００Ａの略円形形状の硬貨投入口２０Ａに取り付けることにより、第１の実施形態の場合と同様、所定の複数枚の硬貨が同時に通過することを許容する大きさの切り欠き部２Ａを除いて、水等の液体をはじめとする硬貨以外の異物が、硬貨投入口２０Ａに侵入する恐れを低減することができる。さらには、切り欠き部２Ａに隣接する切り欠き部周辺部に水等の液体が落下した場合であっても、落下した液体は、切り欠き部２Ａ側ではなく、排水溝３Ａに流れ落ちて排出されることになるので、硬貨投入口２０Ａに流れ込んでしまうことを防ぐことができる。
【００５６】
つまり、セルフＰＯＳ端末装置等の電子機器１００Ａの硬貨投入口が略円形形状の硬貨投入口２０Ａであっても、図８（Ｃ）に示したように、硬貨投入口２０Ａの表面形状に合わせた形状すなわち略円形形状の保護カバー１Ｅを硬貨投入口２０Ａに取り付けることにより、硬貨投入口２０Ａに硬貨以外の異物が侵入する恐れを低減することができる。さらに言うと、硬貨以外の異物の侵入の恐れを低減するために電子機器に取り付ける保護カバーの形状を、取り付け対象とする硬貨投入口の表面の形状に合わせた形状にすることにより、如何なる形状の硬貨投入口に対しても対応することが可能である。
【００５７】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５８】
１        保護カバー
１Ａ      保護カバー
１Ｂ      保護カバー
１Ｃ      保護カバー
１Ｄ      保護カバー
１Ｅ      保護カバー
２        切り欠き部
２Ａ      切り欠き部
３        排水溝
３Ａ      排水溝
４        切り欠き部周辺部
５        保護壁
１０      紙幣投入口
２０      硬貨投入口
２０Ａ    硬貨投入口
２０Ｃ    硬貨載置部
２２      硬貨展開部
３１      バーコードスキャナ
３２      ディスプレイ
４１      パトランプ
１００    電子機器（セルフＰＯＳ端末装置）
１００Ａ    電子機器
【要約】
【課題】水等の液体を含む異物が硬貨投入口に侵入する恐れを低減することが可能な電子機器を提供する。
【解決手段】硬貨取扱装置を有する電子機器において、硬貨を投入するための硬貨投入口２０に対して硬貨以外の異物の侵入を防ぐための板状の保護カバー１を取り付け、かつ、該保護カバー１は、所定の複数枚の硬貨が同時に通過することを許容する大きさの切り欠き部２を有し、かつ、該保護カバー１の切り欠き部２に隣接する切り欠き部周辺部または保護カバー１の表面形状を、保護カバー１上に落ちる液体の排水を可能にする形状に形成する。例えば、液体の排水を可能にする前記形状として、切り欠き部周辺部において切り欠き部２の反対側に位置する該切り欠き部周辺部の端辺に沿って液体を保護カバー１の外側に排水するための排水溝を形成する。
【選択図】図２【図１】
0006820070.tif 000002
【図２】
0006820070.tif 000003
【図３】
0006820070.tif 000004
【図４】
0006820070.tif 000005
【図５】
0006820070.tif 000006
【図６】
0006820070.tif 000007
【図７】
0006820070.tif 000008
【図８】
0006820070.tif 000009